(57)【要約】【課題】光ディスクがＣＤであろうとＤＶＤであろうと、フォーカス制御およびトラッキング制御をＤＰＰ法で行うこと。【解決手段】光ディスクとしてトラックピッチが互いに異なる第１および第２の光ディスク（ＣＤ，ＤＶＤ）の記録又は再生を行なうことができる光ピックアップにおいて、２波長レーザ（２１）は、それぞれ第１および第２の光ディスク用の互いに波長の異なる第１および第２のレーザ光（Ｌ１，Ｌ２）を同一方向へ出射させるために平設された２つの光源を有する。回折手段（２２）は、２波長レーザから出射される第１および第２のレーザ光の各々を３本の光束に分離するものであって、第１および第２のレーザ光に対して互いに異なる回折作用を行って、第１および第２の光ディスクを記録又は再生をする際のフォーカス制御およびトラッキング制御としてＤＰＰ法を採用できるように構成されている。【選択図】        図２
2005025790.tif 000002
【特許請求の範囲】
【請求項１】
光ディスクとしてトラックピッチが互いに異なる第１および第２の光ディスクの記録又は再生を行なうことができる光ピックアップであって、
それぞれ前記第１および前記第２の光ディスク用の互いに波長の異なる第１および第２のレーザ光を同一方向へ出射させるために平設された２つの光源を有する２波長レーザと、
該２波長レーザから出射される前記第１および前記第２のレーザ光の各々を３本の光束に分離する回折手段であって、前記第１および前記第２のレーザ光に対して互いに異なる回折作用を行って、前記第１および前記第２の光ディスクを記録又は再生をする際のフォーカス制御およびトラッキング制御としてＤＰＰ法を採用できる、前記回折手段と
を有する光ピックアップ。
【請求項２】
前記回折手段からの前記３本の光束を反射すると共に、戻り光を透過するビームスプリッタと、
該ビームスプリッタからの反射した光ビームを平行光とするコリメータレンズと、
前記平行光を前記光ディスク上に収束させる対物レンズと、
前記光ディスク上で反射し、前記対物レンズ、前記コリメータレンズ、および前記ビームスプリッタを透過した前記戻り光を入射するセンサレンズと、
該センサレンズを透過した光ビームを受光する光検出器と、
をさらに有する請求項１に記載の光ピックアップ。
【請求項３】
前記第１の光ディスクがＣＤであり、前記第２の光ディスクがＤＶＤである、請求項１に記載の光ピックアップ。
【請求項４】
前記第１のレーザ光の波長が７８０ｎｍ帯であり、前記第２のレーザ光の波長は６５０ｎｍ帯である、請求項３に記載の光ピックアップ。
【請求項５】
前記光検出器は、前記第１の光ディスク用の第１の受光素子と、前記第２の光ディスク用の第２の受光素子とを有する、請求項２に記載の光ピックアップ。
【請求項６】
前記回折手段は、互いに対向する一方の面および他方の面を持ち、前記一方の面に前記第１のレーザ光用の第１の溝の集まりが形成され、前記他方の面に前記第２のレーザ光用の第２の溝の集まりが形成された、２波長用回折格子からなる請求項１に記載の光ピックアップ。
【請求項７】
前記回折手段は、前記第１のレーザ光用の第１の溝の集まりが形成された第１の回折格子と、前記第２のレーザ光用の第２の溝の集まりが形成された第２の回折格子とからなる請求項１に記載の光ピックアップ。
【請求項８】
前記回折手段が、前記第１の回折格子と前記第２の回折格子とが貼り合わされて１枚で構成されている請求項７に記載の光ピックアップ。
【請求項９】
光ディスクとしてトラックピッチが互いに異なる第１および第２の光ディスクの記録又は再生を行なうことができる光ピックアップに用いられる回折手段であって、前記光ピックアップは、それぞれ前記第１および前記第２の光ディスク用の互いに波長の異なる第１および第２のレーザ光を同一方向へ出射させるために平設された２つの光源を有する２波長レーザを備え、前記回折手段は、
前記２波長レーザから出射される前記第１および前記第２のレーザ光の各々を３本の光束に分離するものであって、前記第１および前記第２のレーザ光に対して互いに異なる回折作用を行って、前記第１および前記第２の光ディスクを記録又は再生をする際のフォーカス制御およびトラッキング制御としてＤＰＰ法を採用できる回折手段。
【請求項１０】
前記回折手段は、互いに対向する一方の面および他方の面を持ち、前記一方の面に前記第１のレーザ光用の第１の溝の集まりが形成され、前記他方の面に前記第２のレーザ光用の第２の溝の集まりが形成された、２波長用回折格子からなる請求項９に記載の回折手段。
【請求項１１】
前記回折手段は、前記第１のレーザ光用の第１の溝の集まりが形成された第１の回折格子と、前記第２のレーザ光用の第２の溝の集まりが形成された第２の回折格子とからなる請求項９に記載の回折手段。
【請求項１２】
前記回折手段が、前記第１の回折格子と前記第２の回折格子とが貼り合わされて１枚で構成されている請求項１１に記載の回折手段。
【発明の詳細な説明】
【０００１】
【発明の属する技術分野】
本発明は、光学的記録媒体（光ディスク）の記録又は再生を行なう光ピックアップに関し、特に、２波長対応光ピックアップの改良に関する。
【０００２】
【従来の技術】
光ピックアップとは、光ディスクの記録又は再生を行なう装置である。光ディスクとしては、ＤＶＤ（ディジタル・バーサタイル・ディスク又はデジタル・ビデオ・ディスク）やＣＤ（コンパクト・ディスク）などがある。ＣＤには、１回限りの記録ができる書込みＣＤであるＣＤ−Ｒ（ＣＤ  Ｒｅｃｏｒｄａｂｌｅ）や、相変化記録方式を使った書き換えＣＤであるＣＤ−ＲＷ（ＣＤ  Ｒｅｗｒｉｔａｂｌｅ）などがある。一方、ＤＶＤには、１回限りの記録ができる書込みＤＶＤであるＤＶＤ−Ｒ（ＤＶＤ  Ｒｅｃｏｒｄａｂｌｅ）や、ＤＶＤ−ＲＡＭと対立するソニー独自の書き換えフォーマットをもつＤＶＤ＋ＲＷ（ＤＶＤ＋Ｒｅｗｒｉｔａｂｌｅ）、ＤＶＤ−Ｒの書き換え版であるＤＶＤ−ＲＷ（ＤＶＤ  Ｒｅｗｒｉｔａｂｌｅ）などがある。
【０００３】
ＤＶＤプレーヤにおいては、ＤＶＤとＣＤとのいずれにも記録又は再生を可能にするために特別の光ピックアップが搭載されたものが存在している。この種の特別の光ピックアップは、ＤＶＤ用の短波長レーザ光（波長６５０ｎｍ帯）とＣＤ用の長波長レーザ光（波長７８０ｎｍ帯）との２種類のレーザ光を使い分けて記録又は再生を行うためのものであり、２波長対応光ピックアップと呼ばれている。
【０００４】
このような２波長対応光ピックアップは例えば特許文献１に開示されている。
【０００５】
以下、図１を参照して、特許文献１に第３の従来例として挙げられている、従来の２波長対応光ピックアップについて説明する。図１は従来の２波長対応光ピックアップの光学系のシステム構成図である。
【０００６】
図示の２波長対応光ピックアップは、２波長レーザ１１と、回折格子１２と、偏光ビームスプリッタ１３と、反射ミラー１４と、コリメータレンズ１５と、対物レンズ１６と、拡大レンズ１７と、光検出器１８とを有している。
【０００７】
２波長レーザ１１は、ＣＤ用の波長が７８０ｎｍ帯の第１のレーザ光Ｌ１を出射させる第１のレーザダイオード（図示せず）と、ＤＶＤ用の波長が６５０ｎｍ帯の第２のレーザ光Ｌ２を出射させる第２のレーザダイオード（図示せず）とが集積された半導体チップを有している。第１のレーザダイオードと第２のレーザダイオードの相互距離（発光点間距離）は、約１００μｍであって、±１μｍの距離精度で作製することが可能である。
【０００８】
回折格子１２は、２波長レーザ１１からの１本のレーザ光を３本の光束に分岐させる。ここで、３本の光束のうち、中央の光束はメインビームと呼ばれ、その両側の２本の光束はサブビームと呼ばれる。
【０００９】
偏光ビームスプリッタ１３は、回折格子１２からの３本の光束を反射すると共に、後述するように戻り光（光ディスクからの反射光）を透過させるためのものである。
【００１０】
反射ミラー１４は偏光ビームスプリッタ１３で反射されたレーザ光の進行方向を９０度折り曲げるように反射する。コリメータレンズ１５は、反射ミラー１４で反射されたレーザ光を平行光に変換し、対物レンズ１６へ入射させる。対物レンズ１６は、入射するレーザ光を光ディスクの記録面に集光する。また、これら対物レンズ１６、コリメータレンズ１５、および反射ミラー１４は、光ディスクで反射されたレーザ光を戻り光として、偏光ビームスプリッタ１３へ入射させる。
【００１１】
拡大レンズ１７は、光検出器１８における検出精度を向上させるために、偏光ビームスプリッタ１３からの戻り光を一軸方向に関して拡大する。光検出器１８は、拡大レンズ１７で拡大された戻り光を検出し、その光強度に応じた電気信号を発生する。尚、光検出器１８は、図示はしないが、ＣＤ用の受光素子とＤＶＤ用の受光素子との２種類の受光素子を内部に備えている。
【００１２】
次に、この光ピックアップの動作について説明する。２波長レーザ１１は、光ディスクがＣＤの場合は、第１のレーザダイオードを駆動し、光ディスクがＤＶＤの場合は、第２のレーザダイオードを駆動する。これらのレーザダイオードは、互いに１００μｍ程度離れているので、第１のレーザ光Ｌ１と第２のレーザ光Ｌ２とは、互いに平行ではあるが、その光軸（光束の中心軸）が図の左右方向に離れている。
【００１３】
最初に、ＣＤを再生するときの動作について説明する。この場合、２波長レーザ１１の第１のレーザダイオードから出射した発振波長が７８０ｎｍ帯の第１のレーザ光Ｌ１は、回折格子１２で３本のレーザ光（光束）に分離され、偏光ビームスプリッタ１３に入射する。この偏光ビームスプリッタ１３に入射した第１のレーザ光Ｌ１は、ここで９０度の角度折り曲げるように反射され、反射ミラー１４へ向けて出射される。
【００１４】
反射ミラー１４で第１のレーザ光Ｌ１は９０度の角度折り曲げるように上方に反射して、その上方に配置したコリメータレンズ１６に入射する。このコリメータレンズ１６で平行光にされた第１のレーザ光Ｌ１は、対物レンズ１６で収束されて、ＣＤの記録面に照射される。
【００１５】
ＣＤは、その記録面に形成された情報に応じて第１のレーザ光Ｌ１を反射する。この記録面からの反射光は、再び、対物レンズ１６及びコリメータレンズ１６を透過し、反射ミラー１４で反射された後、偏光ビームスプリッタ１３を透過して、拡大レンズ１７に入射する。拡大レンズ１７において戻り光Ｌ１が光検出器１８内のＣＤ用受光素子で受光するために最適なスポットに変換された後、光検出器１８に入射される。
【００１６】
ＣＤ用受光素子で受光した戻り光Ｌ１は電気信号に変換される。尚、このＣＤ用受光素子で受光された戻り光Ｌ１の一部は、フォーカス制御およびトラッキング制御のために用いられる。
【００１７】
次に、ＤＶＤを再生するときの動作について説明する。この場合、２波長レーザ１１の第２のレーザダイオードから出射した発振波長が６５０ｎｍ帯の第２のレーザ光Ｌ２は、回折格子１２で３本のレーザ光（光束）に分離され、偏光ビームスプリッタ１３に入射する。この偏光ビームスプリッタ１３に入射した第２のレーザ光Ｌ２は、ここで９０度の角度折り曲げるように反射され、反射ミラー１４へ向けて出射される。
【００１８】
反射ミラー１４で第２のレーザ光Ｌ２は９０度の角度折り曲げるように上方に反射して、その上方に配置したコリメータレンズ１６に入射する。このコリメータレンズ１６で平行光にされた第２のレーザ光Ｌ２は、対物レンズ１６で収束されて、ＤＶＤの記録面に照射される。
【００１９】
ＤＶＤは、その記録面に形成された情報に応じて第２のレーザ光Ｌ２を反射する。この記録面からの反射光は、再び、対物レンズ１６及びコリメータレンズ１６を透過し、反射ミラー１４で反射された後、偏光ビームスプリッタ１３を透過して、拡大レンズ１７に入射する。拡大レンズ１７において戻り光Ｌ２が光検出器１８内のＤＶＤ用受光素子で受光するために最適なスポットに変換された後、光検出器１８に入射される。
【００２０】
ＤＶＤ用受光素子で受光した戻り光Ｌ２は電気信号に変換される。尚、このＤＶＤ用受光素子で受光された戻り光Ｌ２の一部は、フォーカス制御およびトラッキング制御のために用いられる。
【００２１】
ここで、上記フォーカス制御およびトラッキング制御の方法には、３ビーム法と、ＤＰＤ（Ｄｉｆｆｅｒｅｎｔｉａｌ  Ｐｈａｓｅ  Ｄｅｔｅｃｔｉｏｎ）法と、ＤＰＰ（Ｄｉｆｆｅｒｅｎｔｉａｌ  Ｐｕｓｈ−Ｐｕｌｌ）法との３種類の方法があることが、この技術分野において知られている。３ビーム法では、メインビームを利用してフォーカス制御を行い、サブビームを利用してトラッキング制御を行う方法である。ＤＰＤ法は、フォーカス制御およびトラッキング制御ともにメインビームのみを利用して行う方法である。ＤＰＰ法は、メインビームを利用してフォーカス制御を行い、メインビームおよびサブビームの両方を利用してトラッキング制御を行う方法である。
【００２２】
この技術分野において周知のように、ＣＤとＤＶＤとでは、トラックピッチが異なる。そのため、従来の光ピックアップにおいては、光ディスクがＣＤの場合には、フォーカス制御およびトラッキング制御として３ビーム法を採用し、光ディスクがＤＶＤの場合には、フォーカス制御およびトラッキング制御としてＤＰＤ法を採用している。
【００２３】
【特許文献１】
特開２００１−１９５７６７号公報
【００２４】
【発明が解決しようとする課題】
このため、従来の光ピックアップを備えた光ディスクドライブでは、３ビーム法とＤＰＤ法の両方の制御構成が必要となってしまう。その結果、従来の光ピックアップを備えた光ディスクドライブでは、その構造が複雑になってしまうという問題がある。
【００２５】
それ故に本発明の課題は、光ディスクがＣＤであろうとＤＶＤであろうと、フォーカス制御およびトラッキング制御をＤＰＰ法で行うことができる、光ピックアップを提供することにある。
【００２６】
【課題を解決するための手段】
本発明の第１の態様によれば、光ディスクとしてトラックピッチが互いに異なる第１および第２の光ディスク（ＣＤ，ＤＶＤ）の記録又は再生を行なうことができる光ピックアップであって、それぞれ第１および第２の光ディスク用の互いに波長の異なる第１および第２のレーザ光（Ｌ１，Ｌ２）を同一方向へ出射させるために平設された２つの光源を有する２波長レーザ（２１）と、この２波長レーザから出射される第１および第２のレーザ光の各々を３本の光束に分離する回折手段（２２，２２Ａ）であって、第１および第２のレーザ光に対して互いに異なる回折作用を行って、第１および第２の光ディスクを記録又は再生をする際のフォーカス制御およびトラッキング制御としてＤＰＰ法を採用できる、回折手段（２２，２２Ａ）とを有する光ピックアップが得られる。
【００２７】
上記光ピックアップにおいて、回折手段からの３本の光束を反射すると共に、戻り光を透過するビームスプリッタ（２３）と、このビームスプリッタからの反射した光ビームを平行光とするコリメータレンズ（２４）と、平行光を光ディスク上に収束させる対物レンズ（２７）と、光ディスク（ＣＤ，ＤＶＤ）上で反射し、対物レンズ、コリメータレンズ、およびビームスプリッタを透過した戻り光を入射するセンサレンズ（２８）と、このセンサレンズを透過した光ビームを受光する光検出器（２９）と、をさらに有して良い。また、第１の光ディスクは例えばＣＤであり、第２の光ディスクは例えばＤＶＤであって良い。さらに、第１のレーザ光（Ｌ１）の波長が７８０ｎｍ帯であり、第２のレーザ光（Ｌ２）の波長が６５０ｎｍ帯であって良い。また、光検出器（２９）は、第１の光ディスク用の第１の受光素子（２９−１）と、第２の光ディスク用の第２の受光素子（２９−２）とを有して良い。回折手段（２２）は、互いに対向する一方の面（２２ａ）および他方の面（２２ｂ）を持ち、一方の面に第１のレーザ光用の第１の溝（２２−１）の集まりが形成され、他方の面に第２のレーザ光用の第２の溝（２２−２）の集まりが形成された、２波長用回折格子からなるのが好ましい。その代わりに、回折手段（２２Ａ）は、第１のレーザ光用の第１の溝の集まりが形成された第１の回折格子（２２Ａ−１）と、第２のレーザ光用の第２の溝の集まりが形成された第２の回折格子（２２Ａ−２）とから構成されても良い。その場合、回折手段が、第１の回折格子と第２の回折格子とが貼り合わされて１枚で構成されても良い。
【００２８】
本発明の第２の態様によれば、光ディスクとしてトラックピッチが互いに異なる第１および第２の光ディスク（ＣＤ，ＤＶＤ）の記録又は再生を行なうことができる光ピックアップに用いられる回折手段（２２，２２Ａ）であって、光ピックアップは、それぞれ第１および第２の光ディスク用の互いに波長の異なる第１および第２のレーザ光（Ｌ１，Ｌ２）を同一方向へ出射させるために平設された２つの光源を有する２波長レーザ（２１）を備え、回折手段は、２波長レーザから出射される第１および第２のレーザ光の各々を３本の光束に分離するものであって、第１および第２のレーザ光に対して互いに異なる回折作用を行って、第１および第２の光ディスクを記録又は再生をする際のフォーカス制御およびトラッキング制御としてＤＰＰ法を採用できる回折手段が得られる。
【００２９】
上記回折手段（２２）は、互いに対向する一方の面（２２ａ）および他方の面（２２ｂ）を持ち、一方の面に第１のレーザ光用の第１の溝（２２−１）の集まりが形成され、他方の面に第２のレーザ光用の第２の溝（２２−２）の集まりが形成された、２波長用回折格子から構成されることが好ましい。その代わりに、上記回折手段（２２Ａ）は、第１のレーザ光用の第１の溝の集まりが形成された第１の回折格子（２２Ａ−１）と、第２のレーザ光用の第２の溝の集まりが形成された第２の回折格子（２２Ａ−２）とから構成されても良い。この場合、回折手段が、第１の回折格子と第２の回折格子とが貼り合わされて１枚で構成されても良い。
【００３０】
尚、上記括弧内の参照符号は、理解を容易にするために付したものであり、一例にすぎず、これらに限定されないのは勿論である。
【００３１】
【発明の実施の形態】
以下、本発明の実施の形態について図面を参照して詳細に説明する。
【００３２】
図２および図３を参照して、本発明の一実施の形態に係る光ピックアップについて説明する。図２は光ディスクがＣＤである場合の光ピックアップの光学系のシステム構成図であり、図３は光ディスクがＤＶＤである場合の光ピックアップの光学系のシステム構成図である。
【００３３】
図示の光ピックアップは、２波長レーザ２１と、後で詳述する回折手段２２と、ビームスプリッタ２３と、コリメータレンズ２４と、反射ミラー２５と、開口制限板２６と、対物レンズ２７と、拡大レンズ２８と、光検出器２９と、フォワードセンサ３０とを有する。
【００３４】
２波長レーザ２１は、ＣＤ用の波長７８０ｎｍ帯の第１のレーザ光Ｌ１を出射させる第１のレーザダイオード（図示せず）と、ＤＶＤ用の波長６５０ｎｍ帯の第２のレーザ光Ｌ２を出射させる第２のレーザダイオード（図示せず）とが集積された半導体チップを有している。第１のレーザダイオードと第２のレーザダイオードの相互距離（発光点間距離）は、約１００μｍであって、±１μｍの距離精度で作製することが可能である。
【００３５】
回折手段２２は、後述するように２波長レーザ２１からの１本のレーザ光を３本の光束に分岐させる。ここで、３本の光束のうち、中央の光束はメインビームと呼ばれ、その両側の２本の光束はサブビームと呼ばれる。
【００３６】
ビームスプリッタ２３は、回折手段２２からの３本の光束を反射すると共に、後述するように戻り光（光ディスクからの反射光）を透過させるためのものである。
【００３７】
コリメータレンズ２４は、ビームスプリッタ２３で反射されたレーザ光を拡散光又は平行光に変換するためのものである。反射ミラー２５はコリメータレンズ２４からの拡散光又は平行光を直角に折り曲げるように反射して、対物レンズ２７側へ導出するためのものである。開口制限板２６は、反射ミラーからの拡散光の開口を制限するためのものである。対物レンズ２７は開口制限板２６で開口が制限されたレーザ光を光ディスクの記録面に集光する。また、これら対物レンズ２７、開口制限板２６、反射ミラー２５、およびコリメータレンズ２４は、光ディスクで反射されたレーザ光を戻り光として、ビームスプリッタ２３へ入射させる。
【００３８】
拡大レンズ２８は、光検出器２９における検出精度を向上させるために、ビームスプリッタ２３からの戻り光を一軸方向に関して拡大する。光検出器２９は、拡大レンズ２８で拡大された戻り光を検出し、その光強度に応じた電気信号を発生する。尚、光検出器２９は、後述するように、ＣＤ用の受光素子とＤＶＤ用の受光素子との２種類の受光素子を内部に備えている。
【００３９】
フォーワードセンサ３０は、ビームスプリッタ２３を透過してきたレーザ光の光量をモニタする。
【００４０】
次に、図２および図３に示した光ピックアップの動作について説明する。最初に、図２を参照して、光ディスクとしてＣＤを使用した場合の動作について説明し、その後で図３を参照して、光ディスクとしてＤＶＤを使用した場合の動作について説明する。
【００４１】
図２を参照して、ＣＤを再生するとき、２波長レーザ２１の第１のレーザダイオードから出射した発振波長が７８０ｎｍ帯の第１のレーザ光Ｌ１は、回折手段２２で３本のレーザ光（光束）に分離され、ビームスプリッタ２３に入射する。ビームスプリッタ２３は、入射したレーザ光を反射光と透過光とに一定割合で分離する。フォワードセンサ３０は、このビームスプリッタ２３を透過してきたレーザ光の光量をモニタする。
【００４２】
一方、ビームスプリッタ２３で反射されたレーザ光は、コリメータレンズ２４で拡散光にされた後、反射ミラー２５で直角に反射される。この反射ミラー２５で反射された拡散光は、開口制限板２６でその開口が制限された後、対物レンズ２７を介してＣＤの信号記録面へ集光（照射）される。
【００４３】
ＣＤは、その信号記録面に形成された情報に応じて第１のレーザ光Ｌ１を反射する。この記録面からの反射光は、再び、対物レンズ２７、開口制限板２６を透過し、反射ミラー２５で反射された後、コリメータレンズ２４およびビームスプリッタ２３を透過して、拡大レンズ２８に入射する。拡大レンズ２８において戻り光Ｌ１が光検出器２９内のＣＤ用受光素子で受光するために最適なスポットに変換された後、光検出器２９に入射される。
【００４４】
ＣＤ用受光素子で受光した戻り光Ｌ１は電気信号に変換される。尚、このＣＤ用受光素子で受光された戻り光Ｌ１の一部は、フォーカス制御およびトラッキング制御のために用いられる。
【００４５】
次に、図３を参照して、ＤＶＤを再生するとき、２波長レーザ２１の第２のレーザダイオードから出射した発振波長が６５０ｎｍ帯の第２のレーザ光Ｌ２は、回折手段２２で３本のレーザ光（光束）に分離され、ビームスプリッタ２３に入射する。ビームスプリッタ２３は、入射したレーザ光を反射光と透過光とに一定割合で分離する。フォワードセンサ３０は、このビームスプリッタ２３を透過してきたレーザ光の光量をモニタする。
【００４６】
一方、ビームスプリッタ２３で反射されたレーザ光は、コリメータレンズ２４で平行光にされた後、反射ミラー２５で直角に反射される。この反射ミラー２５で反射された平行光は、開口制限板２６を透過した後、対物レンズ２７を介してＤＶＤの信号記録面へ集光（照射）される。
【００４７】
ＤＶＤは、その信号記録面に形成された情報に応じて第１のレーザ光Ｌ２を反射する。この記録面からの反射光は、再び、対物レンズ２７、開口制限板２６を透過し、反射ミラー２５で反射された後、コリメータレンズ２４およびビームスプリッタ２３を透過して、拡大レンズ２８に入射する。拡大レンズ２８において戻り光Ｌ２が光検出器２９内のＤＶＤ用受光素子で受光するために最適なスポットに変換された後、光検出器２９に入射される。
【００４８】
ＤＶＤ用受光素子で受光した戻り光Ｌ２は電気信号に変換される。尚、このＤＶＤ用受光素子で受光された戻り光Ｌ２の一部は、フォーカス制御およびトラッキング制御のために用いられる。
【００４９】
図４を参照して、図２および図３に図示した光ピックアップに用いられる、回折手段２２について説明する。図４において、（Ａ）は正面図、（Ｂ）は左側面図、（Ｃ）は右側面図である。
【００５０】
回折手段２２は、２波長レーザ２１から出射される第１および第２のレーザ光Ｌ１およびＬ２の各々を３本の光束に分離するものである。回折手段２２は、第１および第２のレーザ光Ｌ１およびＬ２に対して互いに異なる回折作用を行って、ＣＤおよびＤＶＤを記録又は再生をする際のフォーカス制御およびトラッキング制御としてＤＰＰ法を採用できるように構成されている。
【００５１】
詳述すると、回折手段２２は、互いに対向する一方の面２２ａおよび他方の面２２ｂを持つ。一方の面２２ａには、図４（Ｂ）に示されるように、第１のレーザ光Ｌ１用の第１の溝２２−１の集まりが形成され、他方の面２２ｂには、図４（Ｃ）に示されるように、第２のレーザ光Ｌ２用の第２の溝２２−２の集まりが形成されている。ここで、第１の溝２２−１は第２の溝２２−２よりも浅くなっている。
【００５２】
図５は３ビームに変換された第１および第２のレーザ光Ｌ１およびＬ２がＣＤおよびＤＶＤの信号記録面に集光して照射された状態を示す模式図である。図５において、（Ａ）は、回折手段２２の第１の溝２２−１の集まりによって３ビームに変換された第１のレーザ光Ｌ１がＣＤ（ＣＤ−Ｒ／ＲＷ等を含む）の信号記録面に集光して照射された状態を示し、（Ｂ）は、回折手段２２の第２の溝２２−２の集まりによって３ビームに変換された第２のレーザ光Ｌ２がＤＶＤ（ＤＶＤ±ＲＷ、±Ｒを含む）の信号記録面に集光して照射された状態を示している。
【００５３】
尚、図５（Ａ）および（Ｂ）において、斜線部分はトラックを示し、３つの黒丸のうち、中央の黒丸がメインビームを、その両側の黒丸がサブビームを示している。
【００５４】
ＤＰＰ法では、２つのサブビーム間の距離がトラックピッチと等しくなるように設定される。ＣＤとＤＶＤでは、トラックピッチが異なる。そのため、ＣＤの場合は、図５（Ａ）に示されるように、トラック方向と３ビームの方向との夾角はＢ°であるのに対して、ＤＶＤの場合は、図５（Ｂ）に示されるように、トラック方向と３ビームの方向との夾角はＡ°である。
【００５５】
図４に示されるように、角度Ｂ°は回折手段２２の第１の溝２２−１の角度で設定され、角度Ａ°は回折手段２２の第２の溝２２−２の角度で設定される。
【００５６】
このように、本実施の形態では、図４に示されるように、回折手段２２として２波長用回折格子を用いているので、ＣＤおよびＤＶＤを記録又は再生をする際のフォーカス制御およびトラッキング制御としてＤＰＰ法を採用することができる。
【００５７】
また、ＣＤおよびＤＶＤともに、フォーカス制御およびトラッキング制御としてＤＰＰ法を採用しているので、光検出器２９は、図６に示されるように、互いに同様な構成の、ＣＤ用受光素子２９−１およびＤＶＤ用受光素子２９−２から構成される。
【００５８】
このように、本発明では、ＣＤおよびＤＶＤともに、フォーカス制御およびトラッキング制御をＤＰＰ法で行うことができるので、本発明による光ピックアップを備えた光ディスクドライブは、ＤＰＰ法のみの制御構成でよい。その結果、本発明による光ピックアップを備えた光ディスクドライブでは、その構造が簡単になる。
【００５９】
本発明は上述した実施の形態に限定せず、本発明の要旨を逸脱しない範囲内で種々の変更・変形が可能なのは勿論である。例えば、上述した実施の形態では、回折手段として図４に示されるような特別な構造を持つ２波長用回折格子を用いているが、それには限定されず、例えば、図７に図示されるように、回折手段２２Ａは、第１のレーザ光Ｌ１用の第１の溝の集まりが形成された第１の回折格子２２Ａ−１と、第２のレーザ光Ｌ２用の第２の溝の集まりが形成された第２の回折格子２２Ａ−２とから構成されても良い。さらに、回折手段は、第１の回折格子２２Ａ−１と第２の回折格子２２Ａ−２とが貼り合わされて１枚で構成されても良い。
【００６０】
【発明の効果】
以上の説明から明らかなように、本発明によれば、回折手段として、第１および第２のレーザ光に対して互いに異なる回折作用を行って、第１および第２の光ディスクを記録又は再生をする際のフォーカス制御およびトラッキング制御としてＤＰＰ法を採用できるものを用いたので、このような光ピックアップを備えた光ディスクドライブはＤＰＰ法のみの制御構成でよい。その結果、本発明による光ピックアップを備えた光ディスクドライブでは、その構造が簡単になる、という作用効果を奏する。
【図面の簡単な説明】
【図１】従来の光ピックアップの光学系を説明するための図である。
【図２】本発明の一実施の形態による光ピックアップの光学系を説明する図であって、光ディスクがＣＤである場合を示す図である。
【図３】本発明の一実施の形態による光ピックアップの光学系を説明する図であって、光ディスクがＤＶＤである場合を示す図である。
【図４】図２および図３に示す光ピックアップに用いられる回折手段を示す図であって、（Ａ）は正面図、（Ｂ）は左側面図、（Ｃ）は右側面図である。
【図５】３ビームに変換された第１および第２のレーザ光がＣＤおよびＤＶＤの信号記録面に集光して照射された状態を示す模式図である。
【図６】図２および図３に示す光ピックアップに用いられる光検出器を示す図である。
【図７】図２および図３に示す光ピックアップに用いられる他の回折手段を示す概略正面図である。
【符号の説明】
２１    ２波長レーザ
２２、２２Ａ    回折手段
２３    ビームスプリッタ
２４    コリメータレンズ
２５    反射ミラー
２６    開口制限板
２７    対物レンズ
２８    拡大レンズ
２９    光検出器
３０    フォワードセンサ
【図１】
2005025790.tif 000003
【図２】
2005025790.tif 000004
【図３】
2005025790.tif 000005
【図４】
2005025790.tif 000006
【図５】
2005025790.tif 000007
【図６】
2005025790.tif 000008
【図７】
2005025790.tif 000009